(57)【要約】【課題】  信号線駆動素子を実装する額縁部の省スペース化を実現する。【解決手段】  ガラス基板上に薄膜トランジスタで構成した走査線駆動回路を形成した走査線駆動素子３をＧＯＧ（Grass On Grass）実装により表示パネルのガラス基板１の額縁部１ａに搭載し、単結晶シリコントランジスタで構成した信号線駆動回路をシリコン基板上に形成した複数個のＴＣＰ（Tape Carrier Package）からなる信号線駆動素子６と外部回路接続用のＦＰＣケーブル８とを、表示パネルのガラス基板１の額縁部１ｂに異方導電性接着材により接着かつ搭載した構成を有する。【選択図】  図１
2005300920.tif 000002
【特許請求の範囲】
【請求項１】
マトリクス状に配列された複数個の表示画素と、これらの表示画素を選択する複数本の走査線及び複数本の信号線とを有する四角形状の表示パネルと、
薄膜トランジスタから構成され前記走査線に電圧を供給するとともに絶縁基板上に形成された走査線駆動回路と、外部回路から供給される信号及び電源電圧を入力するための入力端子と、前記走査線に接続される出力端子とを有し、前記表示パネルの一辺の表示画素領域外に搭載される走査線駆動素子と、
単結晶シリコントランジスタから構成され前記信号線に電圧を供給する信号線駆動回路と、外部回路から供給される信号及び電源電圧を入力するための入力端子と、前記信号線に接続される出力端子とを有し、フィルム基板上に実装された状態で前記表示パネルの前記一辺に隣接する他辺の表示画素領域外に搭載される信号線駆動素子と、
前記走査線駆動素子及び前記表示パネルに外部回路から信号及び電源電圧を供給するＦＰＣケーブルと、
を備えた表示装置。
【請求項２】
前記絶縁基板がガラス基板である、
請求項１記載の表示装置。
【請求項３】
前記ＦＰＣケーブルに代えて、前記走査線駆動素子及び前記表示パネルに外部回路から信号及び電源電圧を供給するための配線が前記フィルム基板に形成された、
請求項１又は２記載の表示装置。
【請求項４】
前記信号線駆動素子は、前記フィルム基板を介さずに、前記表示画素領域外に直接搭載され、
前記ＦＰＣケーブルは、前記信号線駆動素子にも前記外部回路から信号及び電源電圧を供給する、
請求項１又は２記載の表示装置。
【請求項５】
前記表示画素領域外において、前走査線駆動素子及び前記信号線駆動素子によって挟まれるコーナー部に、前記ＦＰＣケーブルを接続するための接続端子配列が形成された、
請求項４記載の表示装置。
【請求項６】
請求項１乃至５のいずれかに記載の表示装置であって、
前記表示パネルは、前記表示画素、前記走査線及び前記信号線が形成された四角形状の第一のガラス基板と、この第一のガラス基板に液晶層を挟んで対向するとともに対向電極が形成された四角形状の第二のガラス基板とを有し、
前記第一のガラス基板は、前記第二のガラス基板よりも縦横ともに大きく、前記第二のガラス基板に覆われる領域が前記表示画素領域となり、前記第二のガラス基板に覆われない領域が額縁部となる、
液晶表示装置。
【発明の詳細な説明】
【技術分野】
【０００１】
本発明は、液晶表示装置、ＥＬ表示装置などの表示装置の狭額縁化に関する技術である。
【背景技術】
【０００２】
近年、二枚のガラス基板で液晶層を挟み封止してなる表示パネルにおいて、一方のガラス基板の周辺部の表示画素領域外で、かつ、対向する他方のガラス基板に覆われていない領域（以下「額縁部」という。）に、駆動素子を実装した液晶表示装置が実用化されている。
【０００３】
例えば、特許文献１に開示されている液晶表示装置では、ガラス基板上に薄膜トランジスタで走査線駆動回路を構成した走査線駆動素子と、同じくガラス基板上に薄膜トランジスタで信号線駆動回路を構成した信号線駆動素子とを、表示パネルの額縁部に搭載する構造を採用している。図６はこの種の液晶表示装置を示す斜視図であり、図７は図６に示すＡの平面図である。以下、これらの図面に基づき説明する。
【０００４】
この従来の液晶表示装置は、ガラス基板１、ガラス基板２、走査線駆動素子３、信号線駆動素子４、ＦＰＣ（flexible printed circuit）ケーブル５等を備えている。ガラス基板１は、四角形状を呈するとともに、複数本の走査線１６と複数本の信号線１７とによってマトリクス状に配列された複数個の表示画素からなる四角形状の表示画素領域２’と、表示画素領域２’以外の額縁部１’と、表示画素領域２’の一辺に相当し複数本の走査線１６の端部からなる走査線電極配列１６’と、走査線電極配列１６’に隣接する表示画素領域２’の他辺に相当し複数本の信号線１７の端部からなる信号線電極配列１７’とを有する。ガラス基板２は、液晶層（図示せず）を挟んでガラス基板１と対向し、表示画素領域２’となる。走査線駆動素子３は、走査線１６を電気的に選択する走査線駆動回路（図示せず）が四角形状のガラス基板５４上に形成されてなる。信号線駆動素子４は、信号線１７に映像信号を供給する信号線駆動回路（図示せず）が四角形状のガラス基板５４’上に形成されてなる。ＦＰＣケーブル５は、四角形状を呈するとともに、走査線駆動素子３及び信号線駆動素子４へ映像信号、制御信号及び電源電圧を供給する。
【０００５】
また、四角形状の長辺を長さ、短辺を幅とすると、次のように説明される。額縁部１’は、走査線電極配列１６’側の額縁部及び信号線電極配列１７’側の額縁部のみからなる。ＦＰＣケーブル５の幅Ｗ３は、走査線電極配列１６’側の額縁部１’の幅Ｗ１よりも広く、信号線電極配列１７’側の額縁部の幅Ｗ２よりも狭くなっている。信号線電極配列１７’側の額縁部には、信号線駆動素子３が実装されている。走査線電極配列１６’側の額縁部には、その長さ方向に走査線駆動素子３の長さ方向及びＦＰＣケーブル５の幅方向が並らぶように、走査線駆動素子３及びＦＰＣケーブル５が実装されている。ガラス基板１の幅Ｗ５は、走査線駆動素子３の長さＬ１（走査線電極配列１６’の長さにほぼ等しい）とＦＰＣケーブル５の幅Ｗ３とを足した値にほぼ等しい。
【０００６】
以下に、更に詳しく説明する。この従来の液晶表示装置の表示パネルは、液晶層を挟んで対向するガラス基板１とガラス基板２とから構成される。ガラス基板１の表面には、表示画素電極に電圧を印加する複数個の薄膜トランジスタ（図示せず）と、これらの薄膜トランジスタを電気的に選択する複数本の走査線１６と、走査線１６と直交する複数本の信号線１７とが形成されている。ガラス基板２の表面には、表示画素電極の対向電極（図示せず）が形成されている。また、ガラス基板１の一辺には、走査線電極が複数個配列された走査線電極配列１６’が設けられている。ガラス基板１の走査線電極配列１６’が設けられた辺と接する他の一辺には、信号線電極が複数個配列された信号線電極配列１７’が設けられている。また、走査線駆動素子３は、ガラス基板１の走査線電極配列１６’側の額縁部１’に搭載されて、ガラス基板１の走査線電極配列１６’に対応する駆動回路の走査線駆動出力端子１８の配列を有し、更に各出力端子がそれぞれ対応する走査線電極に接続されている。同様に、信号線駆動素子４は、ガラス基板１の信号線電極配列１７’側の額縁部１’に搭載されて、ガラス基板１の信号線電極配列１７’に対応する駆動回路の信号線駆動出力端子２０の配列を有し、更に各出力端子がそれぞれ対応する信号線電極に接続されている。また、各駆動素子の基板の一端縁部には、駆動回路から導出した入力端子１９，２１が形成されており、これらの入力端子１９，２１は、ガラス基板１のコーナー部で外部回路接続のＦＰＣケーブル５に半田等によって接続されている。また、ガラス基板１のコーナー部には、ＦＰＣケーブル５と電気的に接続する接続端子２２，２３が配列されている。
【０００７】
【特許文献１】特許第３０３３１２４号公報（第５頁、第２図）
【発明の開示】
【発明が解決しようとする課題】
【０００８】
しかしながら、この従来の液晶表示装置には、次のような問題がある。
【０００９】
その問題点は、信号線駆動素子を搭載する額縁部の幅寸法を小さくできないということである。これは、信号線駆動素子の幅寸法に起因する。その理由は、以下の通りである。近年の技術の発展に伴い、走査線駆動素子の幅は４ｍｍ以下に狭幅化された。一方、信号線駆動素子は、走査線駆動素子と比べると数十から数百倍のトランジスタ数を必要とする。更に、信号線駆動素子内に配線される電源線は、二系統の電源線及びＧＮＤ線を必要とする。ここで、二系統の電源線は、それぞれ５０ｍＡの電流が流れ、配線厚１ｍｍの銅配線が長さ３０ｃｍの信号線駆動素子内に配線されるものとする。すると、銅配線の抵抗率が１．７×１０-8［Ω・ｍ］であるから、信号線駆動素子内の電源線での電圧降下を０．１Ｖ以下に抑えるためには、各電源線の幅は２．５ｍｍ以上が必要となる。また、ＧＮＤ線は１００ｍＡの電流が流れるとし、同様に信号線駆動素子内のＧＮＤ線での電圧降下を０．１Ｖ以下にするためには、ＧＮＤ線の配線幅は５ｍｍ以上が必要となる。これにより、信号線駆動素子内の電源線幅のみで１０ｍｍ以上となるので、当然ながら信号線駆動素子の幅を４ｍｍ以下にすることは不可能となる。したがって、走査線駆動素子の幅は４ｍｍ以下に短くなっても、信号線駆動素子の幅は１０ｍｍ以上となるので、信号線駆動素子を実装する額縁部の幅寸法を広げなくてはならない。
【００１０】
そこで、本発明の目的は、信号線駆動素子を実装する額縁部の省スペース化を実現する表示装置等を提供することにある。
【課題を解決するための手段】
【００１１】
本発明に係る表示装置は、表示パネル、走査線駆動素子、信号線駆動素子、ＦＰＣケーブル等を備えている。表示パネルは、マトリクス状に配列された複数個の表示画素と、これらの表示画素を選択する複数本の走査線及び複数本の信号線とを有し、四角形状を呈している。走査線駆動素子は、薄膜トランジスタから構成され前記走査線に電圧を供給するとともに絶縁基板上に形成された走査線駆動回路と、外部回路から供給される信号及び電源電圧を入力するための入力端子と、前記走査線に接続される出力端子とを有し、前記表示パネルの一辺の表示画素領域外に搭載される。信号線駆動素子は、単結晶シリコントランジスタから構成され前記信号線に電圧を供給する信号線駆動回路と、外部回路から供給される信号及び電源電圧を入力するための入力端子と、前記信号線に電気的に接続される出力端子とを有し、フィルム基板上に実装された状態で前記表示パネルの前記一辺に隣接する他辺の表示画素領域外に搭載される。ＦＰＣケーブルは、前記走査線駆動素子及び前記表示パネルに外部回路から信号及び電源電圧を供給する。前記走査線駆動回路が形成される前記絶縁基板は、例えばガラス基板である。
【００１２】
また、前記ＦＰＣケーブルに代えて、前記走査線駆動素子及び前記表示パネルに外部回路から信号及び電源電圧を供給するための配線が前記フィルム基板に形成された、としてもよい。前記信号線駆動素子は、前記フィルム基板を介さずに、前記表示画素領域外に直接搭載され、前記ＦＰＣケーブルは、前記信号線駆動素子にも前記外部回路から信号及び電源電圧を供給する、としてもよい。更に、前記表示画素領域外において、前走査線駆動素子及び前記信号線駆動素子によって挟まれるコーナー部に、前記ＦＰＣケーブルを接続するための接続端子配列が形成された、としてもよい。
【００１３】
本発明に係る表示装置は、次のような液晶表示装置としてもよい。前記表示パネルは、前記表示画素、前記走査線及び前記信号線が形成された四角形状の第一のガラス基板と、この第一のガラス基板に液晶層を挟んで対向するとともに対向電極が形成された四角形状の第二のガラス基板とを有し、前記第一のガラス基板は、前記第二のガラス基板よりも縦横ともに大きく、前記第二のガラス基板に覆われる領域が前記表示画素領域となり、前記第二のガラス基板に覆われない領域が額縁部となる。
【００１４】
換言すると、本発明に係る表示装置は、薄膜トランジスタで構成した走査線駆動回路をガラス基板上に形成した走査線駆動素子をＧＯＧ（Grass On Grass）実装により表示パネルのガラス基板の額縁部に搭載し、単結晶シリコントランジスタで構成した信号線駆動回路をシリコン基板上に形成した複数個のＴＣＰ（Tape Carrier Package）からなる信号線駆動素子と、外部回路接続用ＦＰＣケーブルとを表示パネルのガラス基板の額縁部に異方導電性接着剤により接着かつ搭載した構成を有する。又は、単結晶シリコントランジスタで構成した信号線駆動回路をシリコン基板上に形成した複数個の信号線駆動素子は、ＣＯＧ（Chip On Grass）実装により表示パネルのガラス基板の額縁部に搭載した構成を有する。ＴＣＰとは、フレキシブルテープ上にフォトリソ技術によってパターンを形成し、そのテープキャリアに半導体チップをＴＡＢ（Tape Automated Bonding）手法で搭載したパッケージのことである。このような構成を採ったことにより、駆動素子と外部回路接続用ＦＰＣケーブルとを搭載した表示パネルの額縁部の省スペース化を実現することができる。
【００１５】
また、本発明は、次のように表現することもできる。
【００１６】
（１）．「ゲートドライバはＳＯＧ、データドライバはＴＡＢ実装、ＦＰＣあり」
この表示装置は、表示パネル、走査線駆動素子、信号線駆動素子、ＦＰＣケーブル等を備えている。表示パネルは、マトリクス状に配列された複数個の表示画素と、前記表示画素を選択する複数本の走査線及び複数本の信号線とから構成される。走査線駆動素子は、薄膜トランジスタから構成され前記表示パネルの走査線に電圧を供給するとともにガラス基板上に形成された走査線駆動回路と、外部回路から供給される信号及び電源電圧を入力するための入力端子と、前記表示パネルの走査線に接続される出力端子とを有し、前記表示パネルの周辺部の表示画素領域外に搭載される。信号線駆動素子は、単結晶シリコントランジスタから構成され前記表示パネルの信号線に電圧を供給する信号線駆動回路と、外部回路から供給される信号と電源電圧を入力するための入力端子と、前記表示パネルの信号線に電気的に接続される出力端子とを有し、フィルム基板上に実装された状態で前記表示パネルの周辺部の表示画素領域外に搭載される。ＦＰＣケーブルは、前記走査線駆動素子及び前記表示パネルに、信号及び電源電圧などを外部回路から供給する。
【００１７】
（２）．「ゲートドライバはＳＯＧ、データドライバはＴＡＢ実装、ＦＰＣなし」
この表示装置は、表示パネル、走査線駆動素子、信号線駆動素子等を備えている。表示パネル、走査線駆動素子及び信号線駆動素子は、（１）の表示装置と同じである。ただし、ＦＰＣケーブルの代わりに、前記信号線駆動素子が実装されたフィルム基板に、前記走査線駆動素子及び前記表示パネルに外部回路から信号及び電源電圧などを供給するための配線が形成されている。
【００１８】
（３）．「ゲートドライバはＳＯＧ、データドライバはＣＯＧ実装、ＦＰＣあり」
この表示装置は、表示パネル、走査線駆動素子、信号線駆動素子、ＦＰＣケーブル等を備えている。表示パネル及び走査線駆動素子は、（１）の表示装置と同じである。ただし、信号線駆動素子は、単結晶シリコントランジスタから構成され前記表示パネルの信号線に電圧を供給する信号線駆動回路と、外部回路から供給される信号と電源電圧を入力するための入力端子と、前記表示パネルの信号線に電気的に接続される出力端子とを有し、前記表示パネルの周辺部の表示画素領域外に搭載される。ＦＰＣケーブルは、外部回路から前記走査線駆動素子と前記信号線駆動素子と前記表示パネルに信号と電源電圧などを供給する。
【００１９】
（４）．「ゲートドライバはＳＯＧ、データドライバはＣＯＧ実装、ＦＰＣはコーナーに実装」
この表示装置は、前記（３）の表示装置において、前記表示パネルの周辺部の表示画素領域外で、搭載した前記二つの駆動素子によって挟まれるコーナー部に、外部回路接続用ＦＰＣケーブルを接続するための外部回路接続用端子配列を形成したものである。
【００２０】
（５）．「ゲートドライバはＳＯＧ、データドライバはＴＡＢ実装、ＦＰＣあり、の液晶表示装置」
この液晶表示装置は、第一及び第二のガラス基板、走査線駆動素子、信号線駆動素子、ＦＰＣケーブル等を備えている。第一のガラス基板は、マトリクス状に配列された複数個の表示画素と、前記表示画素を選択する複数本の走査線と、これらの走査線と電気的に接続し一辺に複数個配列された走査線電極端子配列と、前記走査線と直交し前記表示画素を選択する複数本の信号線と、これらの信号線と電気的に接続し一辺に複数個配列された信号線電極端子配列とが表面に形成されている。第二のガラス基板は、前記表示画素電極の対向電極が表面に形成され、液晶層を挟んで前記第一のガラス基板と対向する。走査線駆動素子は、薄膜トランジスタから構成され前記第一のガラス基板の走査線に電圧を供給するとともに第三のガラス基板上に形成された走査線駆動回路と、外部回路から供給される信号及び電源電圧を入力するための入力端子とを有し、前記第一のガラス基板の表示画素領域外で、かつ、前記第二のガラス基板に覆われていない領域（以下、この領域を「額縁部」という。）の走査線電極端子配列側に搭載されて、前記各出力端子はそれぞれ対応する前記第一のガラス基板の走査線電極に接続される。信号線駆動素子は、単結晶シリコントランジスタから構成され前記第一のガラス基板の信号線に電圧を供給する信号線駆動回路と、外部回路から供給される信号及び電源電圧を入力するための入力端子と、前記第一のガラス基板の信号線に電気的に接続される出力端子とを有し、フィルム基板上に実装された状態で前記第一のガラス基板の信号線電極端子配列側の額縁部に搭載される。ＦＰＣケーブルは、前記走査線駆動素子、前記第一のガラス基板及び前記第二のガラス基板に、外部回路から信号及び電源電圧などを供給する。
【００２１】
（６）．「ゲートドライバはＳＯＧ、データドライバはＴＡＢ実装、ＦＰＣなし、の液晶表示装置」
この液晶表示装置は、第一及び第二のガラス基板、走査線駆動素子、信号線駆動素子等を備えている。第一及び第二のガラス基板、走査線駆動素子及び信号線駆動素子は、（５）の液晶表示装置と同じである。ただし、ＦＰＣケーブルの代わりに、前記信号線駆動素子が実装されたフィルム基板に、前記走査線駆動素子、前記第一のガラス基板及び前記第二のガラス基板に、外部回路から信号及び電源電圧などを供給するための配線が形成されている。
【００２２】
（７）．「ゲートドライバはＳＯＧ、データドライバはＣＯＧ実装、ＦＰＣあり、の液晶表示装置」
この液晶表示装置は、第一及び第二のガラス基板、走査線駆動素子、信号線駆動素子、ＦＰＣケーブル等を備えている。第一及び第二のガラス基板及び走査線駆動素子は、（５）の液晶表示装置と同じである。信号線駆動素子は、単結晶シリコントランジスタから構成され前記第一のガラス基板の信号線に電圧を供給する信号線駆動回路と、外部回路から供給される信号及び電源電圧を入力するための入力端子と、前記第一のガラス基板の信号線に電気的に接続される出力端子とを有し、前記第一のガラス基板の信号線電極端子配列側の額縁部に搭載される。ＦＰＣケーブルは、前記走査線駆動素子、前記信号線駆動素子、前記第一のガラス基板及び前記第二のガラス基板に、外部回路から信号及び電源電圧などを供給する。
【００２３】
（８）．「ゲートドライバはＳＯＧ、データドライバはＣＯＧ実装、ＦＰＣはコーナーに実装、の液晶表示装置。」
この液晶表示装置は、前記（７）の液晶表示装置において、前記第一のガラス基板の額縁部で、搭載した前記二つの駆動素子によって挟まれるコーナー部に、外部回路接続用ＦＰＣケーブルを接続するための外部回路接続用端子配列を形成したものである。
【発明の効果】
【００２４】
本発明によれば、シリコン基板上に単結晶シリコントランジスタで構成した信号線駆動素子をフィルム基板上に実装した状態で又は直接額縁部に搭載することにより、ガラス基板上に薄膜トランジスタで構成した信号線駆動素子を額縁部に搭載した場合に比べて、信号線駆動素子が搭載される額縁部の幅を狭くすることができる。
【００２５】
換言すると、本発明によれば、ガラス基板上に薄膜トランジスタで構成した走査線駆動素子をＧＯＧ実装により額縁部に搭載し、シリコン基板上に単結晶シリコントランジスタで構成した複数個のＴＣＰからなる信号線駆動素子と外部回路接続用のＦＰＣケーブルとを額縁部に搭載した構成とすることにより、駆動素子とＦＰＣケーブルとを搭載した表示パネルの額縁部の省スペース化を実現することができる。
【発明を実施するための最良の形態】
【００２６】
次に、本発明の実施の形態について図面を参照して詳細に説明する。ただし、表示装置は、具体化して液晶表示装置とする。
【００２７】
図１及び図２は本発明に係る液晶表示装置の第一実施形態を示し、図１は斜視図、図２［１］は図１におけるＩ−Ｉ線断面図、図２［２］は図１におけるII−II線断面図である。図１及び図２において、図６及び図７と同じ部分は同じ符号を付す。
【００２８】
ガラス基板１には、表示画素電極（図示せず）に電圧を印加する複数個の薄膜トランジスタ（図示せず）と、これらの薄膜トランジスタを選択する複数本の走査線１６と、走査線１６に直交する複数本の信号線１７とが、表面に形成されている。ガラス基板２には、表示画素電極に対向する対向電極３２が表面に形成されている。更に、ガラス基板１とガラス基板２とは液晶３１を封入するように互いに貼り合わされている。ガラス基板１の一辺には、走査線電極が複数個配列された走査線電極配列５９が形成されている。ガラス基板１の前記一辺と隣接する他辺には、信号線電極が複数個配列された信号線電極配列３９が形成されている。
【００２９】
走査線駆動素子３は、ガラス基板５４上に走査線駆動回路５５が形成され、走査線駆動回路５５上に絶縁層６０が形成され、絶縁層６０の一部を貫通して走査線駆動回路５５に接続する出力端子配列１８が絶縁層６０上に形成されている。ガラス基板５４は、長さが走査線電極配列５９の長さにほぼ等しく、幅が４ｍｍ以下である。走査線駆動回路５５は、ガラス基板５４の上に形成された多結晶シリコン薄膜トランジスタからなり、走査線１６に電圧を供給する。出力端子配列１８は、ガラス基板１の走査線電極配列５９に対応して設けられている。また、走査線駆動素子３は、ガラス基板１の走査線電極配列５９側の額縁部１ａに搭載されている。すなわち、出力端子配列１８の各出力端子は、それぞれ対応する走査線電極配列５９の各走査電極に、異方導電性接着フィルム５６によって接続されている。
【００３０】
信号線駆動素子６は、単結晶シリコントランジスタから構成され信号線１７に電圧を供給する信号線駆動回路６’と、信号線駆動回路６’の出力端子配列２０とを有する。そして、信号線駆動素子６は、フィルム基板３７上に実装された状態でガラス基板１の信号線電極配列３９側の額縁部１ｂに搭載されている。すなわち、信号線駆動回路６’の出力端子配列２０と電気的に接続されたフィルム基板３７の電極端子配列４１の各電極端子は、それぞれ対応する信号線電極配列３９の各信号線電極に、異方導電性接着フィルム３６によって接続されている。
【００３１】
図示しないが、走査線駆動回路５５の入力端子は、外部回路接続用のＦＰＣケーブル８が接続される接続端子とアルミ配線又は／及びクロム配線又は／及び銅配線で電気的に接続されている。
【００３２】
つまり、ガラス基板５４上に薄膜トランジスタで構成した走査線駆動回路５５を有する走査線駆動素子３を、ＧＯＧ実装によってガラス基板１の額縁部１ａに搭載している。そして、シリコン基板上に単結晶シリコントランジスタで構成した信号線駆動回路６’を有する複数個のＴＣＰである信号線駆動素子６と外部回路接続用のＦＰＣケーブル８とを、ガラス基板１の額縁部１ｂに異方導電性接着剤３６により接着かつ搭載している。
【００３３】
ＦＰＣケーブル８には、走査線駆動素子３に供給する３系統の電源線及びＧＮＤ線、８本の制御信号線、１本のクロック信号線、及び表示パネルの表示画素電極の対向電極３２に供給する電源線が配線されている。この配線を、配線幅４０ｍｍ、配線ピッチ８０ｍｍ、配線厚２０ｍｍの銅配線とし、ＦＰＣケーブル８の長さを１０ｃｍとしたとき、３系統の電源線、対向電極用の電源線及びＧＮＤ線に５０ｍＡの電流が流れるとする。このとき、ＦＰＣケーブル８での電圧降下を０．０２Ｖ以下に抑えるためには、銅配線の抵抗率が１．７×１０-8［Ω・ｍ］であることから、各電源線は６本以上の配線が必要となる。これより、ＦＰＣケーブル８の銅配線は全部で３９本以上となるため、ＦＰＣケーブル８の幅Ｗ７は３．１２ｍｍ以上となる。
【００３４】
ここで、走査線電極配列５９側の額縁部１ａは、幅Ｗ１が走査線駆動素子３の幅よりも広いので４ｍｍ以上であることから、ＦＰＣケーブル８を実装することが可能である。また、信号線電極配列３９の各信号線電極の長さを１．５ｍｍとすると、信号線電極配列３９側の額縁部１ｂの幅Ｗ２は、各信号線電極の長さよりも広いので、１．５ｍｍ以上である。したがって、ガラス基板１の走査線駆動素子３を搭載した額縁部１ａの幅寸法Ｗ１は従来と同じでＦＰＣケーブル８を接続でき、信号線駆動素子４を搭載した額縁部１ｂの幅寸法Ｗ２は狭めることができるという効果がもたらされる。
【００３５】
図３は本発明に係る液晶表示装置の第二実施形態を示す斜視図である。以下、この図面に基づき説明する。ただし、図１と同じ部分は同じ符号を付すことにより説明を省略する。
【００３６】
本実施形態では、信号線駆動素子６を搭載した複数のフィルム基板３７のうちの一つ又は複数に、走査線駆動素子３に供給する電源線、ＧＮＤ線、制御信号線、クロック信号線、及び、表示パネルの表示画素電極の対向電極に供給する電源線を配線する構成としている。
【００３７】
図４は本発明に係る液晶表示装置の第三実施形態を示す斜視図である。以下、この図面に基づき説明する。ただし、図１と同じ部分は同じ符号を付すことにより説明を省略する。
【００３８】
本実施形態では、ガラス基板１の信号線電極配列側の額縁部１ｂに信号線駆動素子６をＣＯＧ（Chip On Grass）実装し、走査線駆動素子３と信号線駆動素子６に供給する電源線、ＧＮＤ線、制御信号線、クロック信号線、及び、表示パネルの表示画素電極の対向電極に供給する電源線を、ＦＰＣケーブル９によって供給し、ＦＰＣケーブル９を信号線電極配列側の額縁部１ｂに接続する構成としている。
【００３９】
図５は本発明に係る液晶表示装置の第四実施形態を示す斜視図である。以下、この図面に基づき説明する。ただし、図１と同じ部分は同じ符号を付すことにより説明を省略する。
【００４０】
本実施形態では、走査線電極配列側の額縁部１ａと信号線電極配列側の額縁部１ｂとに挟まれたコーナー部に、ＦＰＣケーブル９を設けている。
【００４１】
以上第１乃至第４実施形態について説明したが、本発明は言うまでもなくこれらの実施形態に限定されるものではない。例えば、液晶表示装置は有機ＥＬ表示装置等の他の表示装置としてもよく、ガラス基板及びＳｉ−ＴＦＴはプラスチック基板及び有機ＴＦＴとしてもよい。
【図面の簡単な説明】
【００４２】
【図１】本発明に係る液晶表示装置の第一実施形態を示す斜視図である。
【図２】図２［１］は図１におけるＩ−Ｉ線断面図である。図２［２］は図１におけるII−II線断面図である。
【図３】本発明に係る液晶表示装置の第二実施形態を示す斜視図である。
【図４】本発明に係る液晶表示装置の第三実施形態を示す斜視図である。
【図５】本発明に係る液晶表示装置の第四実施形態を示す斜視図である。
【図６】従来の液晶表示装置を示す斜視図である。
【図７】図６に示すＡの平面図である。
【符号の説明】
【００４３】
１  ガラス基板
１ａ，１ｂ  額縁部
２  ガラス基板
３  走査線駆動素子
４，６  信号線駆動素子
５，８，９  ＦＰＣケーブル
１６  走査線
１７  信号線
１８  走査線駆動回路の出力端子
２０  信号線駆動回路の出力端子
３１  液晶層
３２  対向電極
３３  シールド材
３６  異方導電性接着剤
３７  フィルム基板
３８  銅配線
３９  信号線電極配列
４０，４１  電極端子配列
５４  ガラス基板
５５  走査線駆動回路
５６  異方導電性接着フィルム
５９  走査線電極配列
６０  絶縁膜
６１，６２  電極端子配列
６４  異方導電性接着フィルム
【図１】
2005300920.tif 000003
【図２】
2005300920.tif 000004
【図３】
2005300920.tif 000005
【図４】
2005300920.tif 000006
【図５】
2005300920.tif 000007
【図６】
2005300920.tif 000008
【図７】
2005300920.tif 000009